(57)【要約】【課題】本発明は、利用者がかごと乗場との間をより安全に移動できるエレベータ装置を得ることを目的とするものである。【解決手段】かご２９は、外かご１、内かご２、ガイド装置３、複数の内かご駆動装置４、及び内かご駆動制御部５を有している。内かご２は、外かご１に内包され支持されている。内かご２は、外かご１内に収容された通常位置と、外かご１から乗場７側へ突出した乗降位置との間で水平に前後動可能となっている。内かご２の前後動は、ガイド装置３により案内される。内かご駆動装置４は、内かご２を前後動させる。【選択図】図２
2012240760.tif 000002
【特許請求の範囲】
【請求項１】
昇降路内を昇降される外かご、
かご出入口を有しており、かつ前記外かごに支持されており、前記外かご内の通常位置と、前記外かごから乗場側へ突出した乗降位置との間で前後動可能な内かご、
前記外かごと前記内かごとの間に設けられ、前記内かごの前後動を案内するガイド装置、及び
前記内かごを前後動させる内かご駆動装置
を備えていることを特徴とするエレベータ装置。
【請求項２】
前記内かご駆動装置を制御する内かご駆動制御部をさらに備え、
前記内かご駆動制御部は、前記外かごが着床してかごドア及び乗場ドアが全開した後、前記内かご駆動装置により前記内かごを乗降位置へ前進させることを特徴とする請求項１記載のエレベータ装置。
【発明の詳細な説明】
【技術分野】
【０００１】
この発明は、昇降路内をかごが昇降されるエレベータ装置に関するものである。
【背景技術】
【０００２】
従来のエレベータ出入口の安全装置では、光学センサを使用して、利用者がドアと出入口柱又は乗場三方枠との間の隙間に引き込まれたり、ドア間に挟まれたりするのが防止されている（例えば、特許文献１参照）。
【先行技術文献】
【特許文献】
【０００３】
【特許文献１】特開２００５−８３００号公報
【発明の概要】
【発明が解決しようとする課題】
【０００４】
上記のような従来のエレベータ出入口の安全装置では、センサや戸開走行保護装置が万一故障して利用者の乗降中にかごが動いてしまうと、かごと乗場との間に段差が生じることも考えられるため、利用者がかごと乗場との間をより安全に移動できる構成が望まれている。
【０００５】
この発明は、上記のような課題を解決するためになされたものであり、利用者がかごと乗場との間をより安全に移動できるエレベータ装置を得ることを目的とする。
【課題を解決するための手段】
【０００６】
この発明に係るエレベータ装置は、昇降路内を昇降される外かご、かご出入口を有しており、かつ外かごに支持されており、外かご内の通常位置と、外かごから乗場側へ突出した乗降位置との間で前後動可能な内かご、外かごと内かごとの間に設けられ、内かごの前後動を案内するガイド装置、及び内かごを前後動させる内かご駆動装置を備えている。
【発明の効果】
【０００７】
この発明のエレベータ装置は、外かご内に前後動可能な内かごを設け、内かご駆動装置により内かごを前後動させるようにしたので、かごが乗場階に着床したときに、内かごを乗降位置へ移動させることにより、利用者は、かごと乗場との間の隙間を跨がずに内かごと乗場との間を移動することができ、また、利用者の乗降中に万一かごが動いても、内かごが乗場の床又は天井に当接してかごの移動が規制されるとともに、内かごにより利用者が保護され、従って、利用者がかごと乗場との間をより安全に移動できる。
【図面の簡単な説明】
【０００８】
【図１】この発明の実施の形態１によるエレベータ装置を示す構成図である。
【図２】図１のかご構造を示す側面図である。
【図３】図２の内かごを乗降位置へ移動させた状態を示す側面図である。
【発明を実施するための形態】
【０００９】
以下、この発明を実施するための形態について、図面を参照して説明する。
実施の形態１．
図１はこの発明の実施の形態１によるエレベータ装置を示す構成図である。図において、昇降路２１の上部には、機械室２２が設けられている。機械室２２内には、機械台２３が設置されている。機械台２３上には、巻上機２４が支持されている。巻上機２４は、綱車２５及び巻上機本体２６を有している。巻上機本体２６は、綱車２５を回転させる巻上機モータと、綱車２５の回転を制動する巻上機ブレーキとを有している。
【００１０】
機械台２３には、そらせ車２７が取り付けられている。綱車２５及びそらせ車２７には、懸架手段２８が巻き掛けられている。懸架手段２８としては、複数本のロープ又は複数本のベルトが用いられている。
【００１１】
懸架手段２８の一端部には、かご２９が吊り下げられている。懸架手段２８の他端部には、釣合おもり３０が吊り下げられている。かご２９及び釣合おもり３０は、懸架手段２８により昇降路２１内に吊り下げられており、巻上機２４により昇降される。
【００１２】
昇降路２１内には、かご２９の昇降を案内する一対のかごガイドレール３１と、釣合おもり３０の昇降を案内する一対の釣合おもりガイドレール３２とが設置されている。かご２９には、かごガイドレール３１に係合してかご２９を非常停止させる非常止め装置３３が搭載されている。
【００１３】
図２は図１のかご構造を示す側面図である。図において、かご２９は、外かご１、内かご２、ガイド装置３、複数の内かご駆動装置４、及び内かご駆動制御部５を有している。外かご１は、懸架手段２８により吊り下げられており、かごガイドレール３１に案内されて昇降路２１内を昇降される。外かご１の前面には、開口１ａが設けられている。
【００１４】
内かご２は、外かご１に内包され支持されている。内かご２の前面には、かご出入口２ａが設けられている。かご２９の前面には、開口１ａ及びかご出入口２ａを開閉するかごドア６が設けられている。乗場７には、かごドア６に係合してかごドア６とともに開閉される乗場ドア（図示せず）が設けられている。
【００１５】
内かご２は、外かご１内に収容された通常位置（図２）と、外かご１から乗場７側へ突出した乗降位置（図３）との間で水平に前後動可能となっている。内かご２の前後動は、ガイド装置３により案内される。
【００１６】
ガイド装置３は、外かご１と内かご２との間に設けられている。また、ガイド装置３は、外かご１に固定されたガイドレール８と、内かご２の下部に固定され、ガイドレール８に係合するガイド台９とを有している。
【００１７】
内かご駆動装置４は、内かご２の背面と外かご１の内壁との間に設けられ、内かご２を前後動させる。内かご駆動装置４は、例えばモータとボールねじとを有しており、ボールねじの力で内かご２を前後動させる。
【００１８】
内かご駆動制御部５は、外かご１の上部に搭載されており、内かご２を前後動させるための指令信号を内かご駆動装置４に送る。また、内かご駆動制御部５は、かご２９の運行を制御するエレベータ制御装置（図示せず）に接続されている。
【００１９】
次に、動作について説明する。かご２９を昇降させる際には、図２に示すように、内かご２は通常位置に移動されており、かごドア６により開口１ａ及びかご出入口２ａが閉じられている。
【００２０】
かご２９が乗場階に着床すると、かごドア６及び対応する乗場ドアが全開位置へ移動され、開口１ａ及びかご出入口２ａが開放される。この後、内かご駆動制御部５から指令信号が出力され、図３に示すように、内かご駆動装置４により内かご２が乗降位置へ移動（前進）される。この状態で、利用者は内かご２と乗場７との間を移動する。
【００２１】
この後、所定時間が経過すると、内かご駆動制御部５から指令信号が出力され、内かご駆動装置４により内かご２が通常位置に移動（後退）される。そして、かごドア６及び乗場ドアが閉じられる。
【００２２】
このようなエレベータ装置では、外かご１内に前後動可能な内かご２を設け、内かご駆動装置４により内かご２を前後動させるようにしたので、かご２９が乗場階に着床したときに、内かご２を乗降位置へ移動させることにより、利用者は、かご２９と乗場７との間の隙間を跨がずに内かご２と乗場７との間を移動することができる。また、利用者の乗降中に万一かご２９が動いても、内かご２が乗場７の床又は天井に当接してかご２９の移動が規制されるとともに、内かご２により利用者が物理的に保護される。従って、利用者がかご２９と乗場７との間をより安全に移動できる。
【００２３】
また、利用者の乗降中には、内かご２の側壁と床板とにより、かご２９と乗場７との間の隙間が塞がれるので、物が隙間を通して昇降路２１に落下するのを防ぐこともできる。
【００２４】
なお、上記の例では、従来と同様のかごドア６及び乗場ドアを用いたが、かごドア６とは別に内かご２にドア（内部ドア）を設けてもよい。この場合、内部ドアは、内かご２が乗降位置へ移動されたときに開閉される。
また、外かご１の開口１ａにはドアを設けず、かご出入口２ａを開閉するかごドアを内かご２に設けてもよい。この場合、乗場ドアは、内かご２が乗降位置に移動されたときにかごドアに係合する位置に設けられる。
【００２５】
さらに、外かご１は、内かご２を覆う箱状形状であっても、内かご２及び内かご駆動装置４等を支持する構造部分のみにより構成された枠状形状であってもよい。
さらにまた、外かご１がかご枠を兼ねても、かご枠により外かご１を支持してもよい。前者の場合、懸架手段２８は外かご１に接続され、後者の場合、懸架手段２８はかご枠に接続される。
【００２６】
また、上記の例ではガイドレール８に沿ってガイド台９をスライドさせるガイド装置３を示したが、ガイドレールに沿って転動されるローラを有するローラガイド式のガイド装置を用いてもよい。
さらに、内かご駆動装置４は、上記の例に限定されるものではなく、例えば、油圧シリンダ又はリニアモータ等を用いて内かご２を駆動するものであってもよい。
【００２７】
さらにまた、エレベータ装置全体のレイアウト（巻上機２４や釣合おもり３０の位置や個数等）やローピング方式は上記の例に限定されるものではない。
また、この発明は、例えば油圧エレベータ、ロープ式リニアモータエレベータ、ロープレス式リニアモータエレベータなど、あらゆる駆動方式のエレベータ装置に適用することができる。
さらに、この発明は、機械室２２を持たない機械室レスエレベータや、ダブルデッキエレベータ等にも適用できる。
【符号の説明】
【００２８】
１  外かご、２  内かご、３  ガイド装置、４  内かご駆動装置、５  内かご駆動制御部、６  かごドア、７  乗場、２１  昇降路。
【図１】
2012240760.tif 000003
【図２】
2012240760.tif 000004
【図３】
2012240760.tif 000005